(57)【要約】【課題】  本発明の画像処理装置は、様々なＩＤに対応した画像処理に係る許可又は不許可の情報を格納するための格納部を必要としない画像処理装置の提供を目的とする。【解決手段】  本発明の画像処理装置は、原稿の画像を読み取る原稿読取部と、前記原稿読取部で前記原稿から読み取られた画像データに基づいて画像処理を行う画像処理部と、前記画像データから装置設定情報を抽出する設定情報抽出部と前記装置設定情報から前記画像処理の利用権限を設定する利用権限設定部とを有し、前記画像処理部は、前記利用権限設定部で設定された前記利用権限に応じて前記画像処理を行うことを特徴とする。【選択図】  図５
2010056657.tif 000002
【特許請求の範囲】
【請求項１】
原稿の画像を読み取る原稿読取部と、
前記原稿読取部で前記原稿から読み取られた画像データに基づいて画像処理を行う画像処理部と、
前記画像データから装置設定情報を抽出する設定情報抽出部と
前記装置設定情報から前記画像処理の利用権限を設定する利用権限設定部とを有し、
前記画像処理部は、前記利用権限設定部で設定された前記利用権限に応じて前記画像処理を行うことを特徴とする画像処理装置。
【請求項２】
前記装置設定情報は、設定情報シートに印刷されていることを特徴とする請求項１に記載の画像処理装置。
【請求項３】
前記装置設定情報は、電子透かし情報であることを特徴とする請求項１又は請求項２に記載の画像処理装置。
【請求項４】
前記電子透かし情報は、文字に埋設されていることを特徴とする請求項３に記載の画像処理装置。
【請求項５】
前記電子透かし情報は、文字近傍の背景部に埋設されていることを特徴とする請求項３に記載の画像処理装置。
【請求項６】
前記電子透かし情報は、前記設定情報シートに複数印刷されていることを特徴とする請求項３乃至請求項５のいずれか１項に記載の画像処理装置。
【請求項７】
前記利用権限は、前記画像データを複写する権限であることを特徴とする請求項１乃至請求項６のいずれか１項に記載の画像処理装置。
【請求項８】
前記利用権限は、前記画像データを外部装置に送信する権限であることを特徴とする請求項１乃至請求項６のいずれか１項に記載の画像処理装置。
【請求項９】
前記利用権限は、前記画像データをメモリに格納する権限であることを特徴とする請求項１乃至請求項６のいずれか１項に記載の画像処理装置。
【請求項１０】
パスワードを入力するパスワード入力部と
前記パスワード入力部に入力された前記パスワードの真偽を判定する判定部とを更に有し、
前記原稿読取部は、前記判定部において前記パスワードが正しいと判断されたときにのみ、前記原稿読取部が前記原稿の前記画像を読み取ることを特徴とする請求項１乃至請求項９のいずれか１項に記載の画像処理装置。
【請求項１１】
前記装置設定情報に基づいてユーザの設定情報を設定するユーザ情報設定部を更に有し、
前記ユーザ情報設定部は、前記ユーザの前記設定情報を複数の装置間で共用することを特徴とする請求項１乃至請求項１０のいずれか１項に記載の画像処理装置。
【発明の詳細な説明】
【技術分野】
【０００１】
本発明は、原稿から画像を読み取り、当該画像データを一定の制御に基づいて記録媒体に印刷、外部装置に転送、又はメモリに記憶する画像処理装置に関する。
【背景技術】
【０００２】
従来、スキャナなどの読取機から読み取られた原稿に係る画像データ等を、不正に使用されないようにする技術がある。例えば、スキャナ等から読み取られた原稿等の画像データに基づいてコピー又はスキャンｔｏメール等の画像処理を行うときに、スキャナの入力部から入力されたＩＤ(Ｉｄｅｎｔｉｔｙ Ｄｏｃｕｍｅｎｔ)により、画像処理を許可又は不許可とするものがある(例えば、特許文献１参照。)。
【０００３】
【特許文献１】特開２００６-５０５３８号公報
【発明の開示】
【発明が解決しようとする課題】
【０００４】
しかしながら、前述の構成では、プリンタ等に入力されたＩＤと、プリンタ等に予め格納されるＩＤに基づいて、画像処理が許可又は不許可とされる。このため、プリンタ等に入力されたＩＤと、当該ＩＤに対応した画像処理に係る許可又は不許可の情報とを格納する必要がある。従って、プリンタ等に大容量の格納部が必要となる問題が有った。
【０００５】
そこで、本発明は前述の技術的な課題に鑑み、前述のＩＤに対応した画像処理に係る許可又は不許可の情報を格納するための格納部を必要としない画像処理装置の提供を目的とする。
【課題を解決するための手段】
【０００６】
前述の課題を解決すべく、本発明に係る画像処理装置は、原稿の画像を読み取る原稿読取部と、前記原稿読取部で前記原稿から読み取られた画像データに基づいて画像処理を行う画像処理部と、前記画像データから装置設定情報を抽出する設定情報抽出部と前記装置設定情報から前記画像処理の利用権限を設定する利用権限設定部とを有し、前記画像処理部は、前記利用権限設定部で設定された前記利用権限に応じて前記画像処理を行うことを特徴とする。
【発明の効果】
【０００７】
本発明に係る画像処理装置によれば、様々なＩＤに対応した画像処理に係る許可又は不許可の情報を格納するための大容量の格納部を必要としない。
【発明を実施するための最良の形態】
【０００８】
以下、本発明の画像処理装置に係る好適な実施形態について図面を参照しながら説明する。なお、本発明の画像処理装置は、以下の記述に限定されるものではなく、本発明の要旨を逸脱しない範囲において、適宜変更可能である。
【０００９】
［第１の実施形態］
まず、本実施形態の複合機１について説明する。なお、複合機１は画像処理装置である。図１に複合機１の構成図を示す。複合機１は、ブラック色、イエロー色、マゼンタ色、及びシアン色の各色に対応する画像情報に基づいて記録媒体４に画像を印刷する。
【００１０】
複合機１は、給紙トレイ１１から記録媒体４を取り出し転写部３０内に設けられた転写ベルト３１に記録媒体４を静電吸着させる給紙部１０、外部装置からの画像情報に基づきトナー画像を形成する画像形成部２０、画像形成部２０で形成されたトナー画像を記録媒体４に転写する転写部３０、転写部３０で記録媒体４に転写されたトナー画像を溶解及び加圧して定着させる定着部４０、定着部４０から排出された記録媒体４をスタッカ５３に排出する排出部５０、及び原稿を載置して当該原稿から画像データを読み取り電子データを生成する原稿読取部５から構成される。また、用紙搬送経路３は、給紙部１０、画像形成部２０、転写部３０、定着部４０、及び排出部５０内において記録媒体４が搬送される略Ｓ字状の経路である。以下、用紙搬送経路３に配設された各構成部材、及び原稿読取部５について図１を参照しながら具体的に説明する。
【００１１】
給紙部１０は、給紙トレイ１１から記録媒体４を取り出し転写部３０内に設けられた転写ベルト３１に記録媒体４を静電吸着させる。また、給紙部１０は、給紙トレイ１１、給紙ローラ１２、プレッシャローラ１３、及びレジストローラ１４から構成される。以下、給紙部１０を構成する各構成部材について具体的に説明する。給紙トレイ１１は、複数枚の記録媒体４を積層して収納しておき、印刷動作が開始されると記録媒体４を複合機１内に供給する。なお、給紙トレイ１１は、複合機１から脱着可能なように構成されている。なお、記録媒体４は、モノクロ又はカラーの画像情報を印刷させるための所定寸法の記録用紙であり、一般的には、再生紙、光沢紙、及び上質紙のような紙、若しくはＯＨＰフィルム等からなる。また、給紙ローラ１２は、給紙トレイ１１に積層して収納した記録媒体４に対して圧接した状態で回転することにより給紙トレイ１１から１枚ずつ取り出した記録媒体４を、後述するプレッシャローラ１３及びレジストローラ１４に供給する。また、プレッシャローラ１３及びレジストローラ１４は、搬送されてきた記録媒体４を挟むように対向して配設され、レジストローラ１４で加圧したプレッシャローラ１３を回転させることで、記録媒体４の斜行取り等を行いながら転写部３０内に設けられた転写ベルト３１に記録媒体４を搬送して静電吸着させる。
【００１２】
画像形成部２０は、外部装置から受信したブラック色、イエロー色、マゼンタ色、及びシアン色の各色に対応する画像情報に基づいてトナー画像を形成する。また、画像形成部２０Ｋ、２０Ｙ、２０Ｍ、及び２０Ｃは、用紙搬送経路３における記録媒体４の搬送方向の順にそれぞれ配設されている。なお、画像形成部２０Ｋ、２０Ｙ、２０Ｍ、及び２０Ｃは互いに略同一の構成であるため、画像形成部２０と称し、図１には単一で示す。画像形成部２０は、画像情報に基づく静電潜像を担持する感光体ドラム２１と、感光体ドラム２１の表面に電荷を蓄えさせる帯電ローラ２２と、画像情報に対応した光を感光体ドラム２１の表面に照射する複合機１本体に設けられたＬＥＤヘッド２３と、現像剤であるトナー２４を貯蔵するトナーカートリッジ２５と、トナー２４を現像ローラ２７に供給するトナー供給ローラ２６と、感光体ドラム２１表面の静電潜像をトナー２４により現像する現像ローラ２７と、現像ローラ２７に担持されたトナー２４の厚みが均一となるように規制する現像ブレード２８と、感光体ドラム２１に残留したトナー２４を掻き落とすクリーニングブレード２９から構成される。また、画像形成部２０は複合機１に対して着脱可能に配設されている。以下、画像形成部２０を構成する各構成部材について具体的に説明する。
【００１３】
画像形成部２０内の感光体ドラム２１は、現像剤像が形成される像担持体であり、画像情報に基づく静電潜像を担持するために表面に電荷を蓄えることが可能なように構成されている。なお、感光体ドラム２１は、円筒形状部から成り、回転可能なように設けられている。この様な感光体ドラム２１は、アルミニウム等から成る導電性基層に光導電層と電荷輸送層からなる感光層を形成している。また、帯電ローラ２２は、図示せぬ電源を用いて感光体ドラム２１の表面に所定の正電圧又は負電圧を印加することにより、感光体ドラム２１の表面に対して一様に電荷を蓄えさせるためのものである。なお、帯電ローラ２２は、一定の圧力で感光体ドラム２１の表面に接触しながら回転可能なように設けられている。この様な帯電ローラ２２は、導電性の金属シャフトにシリコーン等の半導電性ゴムを被覆することで構成されている。また、ＬＥＤヘッド２３は、画像情報に対応した光を感光体ドラム２１の表面に照射して感光ドラム１１の表面に静電潜像を形成することが可能なように構成されており、感光体ドラム２１の上方に位置するように複合機１本体に設けられる。この様なＬＥＤヘッド２３は、複数のＬＥＤ素子、レンズアレイ、及びＬＥＤ駆動素子を組み合わせたものから構成されている。また、トナーカートリッジ２５は、トナー２４を貯蔵する収容器であり、トナー供給ローラ２６の上方に装着される。なお、トナーカートリッジ２５は、例えば側面部が略円形状で記録媒体４の搬送方向と垂直方向に長い矩形状部から形成される。また、トナーカートリッジ２５は、印刷動作によりトナー２４が消耗した時に交換するために着脱自在に構成されている。
【００１４】
画像形成部２０内のトナー供給ローラ２６は、回転しながら現像ローラ２７に当接することで、現像ローラ２７にトナー２４を供給できるように設けられている。この様なトナー供給ローラ２６は、例えば導電性を有する金属シャフトに発泡剤が添加されたゴムを被覆することで構成されている。また、現像ローラ２７は、一定の圧力で感光体ドラム２１の表面に接触しながら回転可能なように構成されている。現像ローラ２７は、回転しながらトナー２４を感光体ドラム２１に搬送し、感光体ドラム２１の表面に形成された静電潜像をトナー２４によって現像する。この様な現像ローラ２７は、円筒形状部から成り、導電性を有する金属シャフトに半導電ウレタンゴム材等を被覆することで構成されている。また、現像ブレード２８は、その先端部が現像ローラ２７の表面に当接するように設けられ、トナー供給ローラ２６から現像ローラ２７の表面に供給された内、一定量を越えたトナー２４を掻き取ることで、現像ローラ２７の表面に形成されるトナー２４の厚みを常に均一となるように規制する。この様な現像ブレード２８は、ステンレス等の板状弾性部材で形成されている。また、クリーニングブレード２９は、ゴム材等から成る板状部から形成され、感光体ドラム２１上に形成されたトナー画像を記録媒体４に転写した後に感光体ドラム２１に残留したトナー２４を掻き落とすために、クリーニングブレード２９の先端部を感光体ドラム２１の表面に当接させるように配設する。
【００１５】
転写部３０は、画像形成部２０で形成されたトナー画像を記録媒体４に転写する。また、転写部３０は、転写ベルト３１、ドライブローラ３２、アイドルローラ３３、及び転写ローラ３４から構成される。以下、転写部３０を構成する各構成部材について具体的に説明する。ドライブローラ３２及びアイドルローラ３３は、無端状に形成された転写ベルト３１の両端に設けられ、後述する転写ベルト３１に一定の張力を与えている。なお、ドライブローラ３２及びアイドルローラ３３は、高摩擦抵抗から成る部材で形成され、ドライブローラ３２及びアイドルローラ３３を図示せぬ駆動系によって回転させると、転写ベルト３１が従動して駆動する。また、転写ベルト３１は、記録媒体４を画像形成部２０に搬送して画像情報を転写するための搬送手段であり、転写ベルト３１の周面上に記録媒体４を静電吸着できるようにした無端状のベルトである。また、転写ローラ３４は、感光体ドラム２１の下方に位置し、転写ローラ３４と感光体ドラム２１により記録媒体４を挟むように当接した状態で回転可能に設けられている。この様な転写ローラ３４には、トナー２４の帯電とは逆極性のバイアス電圧が供給され、感光体ドラム２１の表面に形成されたトナー画像を記録媒体４に転写する。
【００１６】
定着部４０は、転写部３０で記録媒体４に転写されたトナー画像を溶解及び加圧して定着させる。また、定着部４０は、定着ローラ４１及び加圧ローラ４２から構成される。以下、定着部４０を構成する各構成部材について具体的に説明する。定着ローラ４１と加圧ローラ４２は、転写ベルト３１により搬送されてきた記録媒体４を挟むように対向して配設され、記録媒体４に転写されたトナー画像を定着させる。具体的には、定着ローラ４１及び加圧ローラ４２は表面が弾性体で円筒形状部から形成され、円筒形状部の内部にそれぞれハロゲンランプ等のヒータが配設されている。このような定着ローラ４１及び加圧ローラ４２は記録媒体４上に弱い静電気力だけで付着しているトナー画像を溶解した上で、加圧ローラ４２の加圧力によりトナー画像を記録媒体４に定着させる。なお、加圧ローラ４２は、定着ローラ４１の回転に付勢されることで従動する。
【００１７】
排出部５０は、定着部４０から排出された記録媒体４をスタッカ５３に排出する。また、排出部５０は、排出ローラ５１、排出コロ５２、及びスタッカ５３から構成される。以下、排出部５０を構成する各構成部材について具体的に説明する。排出ローラ５１及び排出コロ５２は、定着部４０から搬送されてきた記録媒体４を挟むように対向して配設され、排出ローラ５１の回転に付勢させて排出コロ５２を従動させることで、記録媒体４をスタッカ５３に排出する。また、スタッカ５３は、画像情報を印刷して排出された記録媒体４を積載して収容する収納スペースである。
【００１８】
原稿読取部５は、原稿を載置して当該原稿から画像データを読み取り電子データを生成する。また、原稿読取部５は、読取器５Ａ、原稿台５Ｂ、フタ５Ｃ、及びケーブル５Ｄから構成される。以下、原稿読取部５を構成する各構成部材について具体的に説明する。読取器５Ａは、図示せぬ光源部、読取部、及び読取走査部から構成される。読取器５Ａの光源部は、原稿に照明光を照射し、当該照明光により原稿表面で反射した反射光が後述する読取部に入射するように、配設されている。この様な光源部の光源には、蛍光ランプ、白色ＬＥＤ(ＬＩｇｈｔ  Ｅｍｉｔｔｉｎｇ  Ｄｉｏｄｅ)、及び半導体レーザ等を用いる。また、読取器５Ａの読取部は、レンズ、軸外し用ミラー、及び検出器等から構成され、光源部の照明光により原稿表面で反射した反射光を、球面収差や非点収差等を補正しながら検出器で受光する。この様な読取部のレンズには例えば非球面レンズを用い、ミラーには例えば平面鏡を用い、検出器にはＣＣＤユニットを用いる。また、読取器５Ａの読取走査部は、搭載ベース、レール、駆動ベルト、及び駆動モータ等から構成され、前述した読取部を搭載して走査することにより、原稿全体に印刷された印刷画像を読み取る。また、原稿読取部５の原稿台５Ｂは、透明ガラス等から構成され、電子データを生成する原稿を載置する。この様な原稿台５Ｂは、読取器５Ａの上部に配設され、読取器５Ａ内に設けられた光源部から照射された照明光を透過させた後、原稿台５Ｂに載置された原稿から反射した反射光を透過させ、当該反射光が読取器５Ａ内に設けられた読取部に入射するように配置されている。また、原稿読取部５のフタ５Ｃは、板状部からなるプラスチック等から構成され、原稿台５Ｂに回動可能に設けられている。この様なフタ５Ｃにより原稿が載置された原稿台５Ｂを覆い、読取器５Ａで原稿を読み取る時に外部からの迷光を遮蔽する。また、原稿読取部５のケーブル５Ｄは、読取器５Ａで読み取った原稿の電子データを画像形成装置１に送信するための信号線である。
【００１９】
次に、複合機１の制御について説明する。図２に複合機１の構成を示すブロック図を示す。以下、図２を参照しながら具体的に説明する。
【００２０】
複合機１は、画像処理部６０Ａ、設定情報抽出部６０Ｂ、利用権限設定部６０Ｃ、及び通信処理部６０Ｄから構成される制御部６０を設けており、この制御部６０から複合機１に指令を出すことにより画像情報に係るセキュリティを担保しながら記録媒体４に印刷する一連のプロセスを制御する。また、制御部６０は、原稿読取部６１、操作表示部６２、印刷部６３、ＬＡＮ回線６４、及びＵＳＢメモリ６５と相互に接続している。この様な複合機１は、原稿を読み取った後に、当該読取画像データを、印刷、ＬＡＮ経由で外部に送信、又はメモリに保存することができる。以下、まず、制御部６０を構成する各構成部材について具体的に説明し、次に、制御部６０と相互に接続している各構成部材について具体的に説明する。
【００２１】
制御部６０は、画像処理部６０Ａ、設定情報抽出部６０Ｂ、利用権限設定部６０Ｃ、及び通信処理部６０Ｄから構成される。画像処理部６０Ａは、原稿読取部６１から読み取った画像データを受信し、画像データに係るレベル補正及びガンマ補正等の補正処理を行う。この様な画像処理部６０Ａは、画像データ内の電子透かしデータ有無の判定を行い、電子透かしデータが存在した場合には電子透かしデータを読み取る。また、設定情報抽出部６０Ｂは、画像処理部６０Ａで処理された電子透かしデータから装置設定情報を抽出する。また、利用権限設定部６０Ｃは、設定情報抽出部６０Ｂで抽出されたデータに基づいて利用権限を設定する。また、通信処理部６０Ｄは、ＬＡＮ回線６４を介して、複合機１と図示せぬ外部装置間で通信を行うことにより、原稿読取部６１で読み取った画像データを外部装置へ送信する。
【００２２】
制御部６０は、原稿読取部６１、操作表示部６２、印刷部６３、ＬＡＮ回線６４、及びＵＳＢメモリ６５と相互に接続している。原稿読取部６１は、制御部６０の制御に基づいて、複合機１内の原稿読取部６１に置かれた原稿の画像データを読み取り、当該画像データを制御部６０へ送信する。また、操作表示部６２は、複合機１又は複合機１の近傍等に設けられ、制御部６０の制御に基づいて、複合機１のユーザに対して印刷条件及び操作可能条件等を表示し、且つ、ユーザから印刷条件及び操作可能条件等に係る指示を受け付ける。また、印刷部６３は、画像情報に基づきトナー画像を形成する画像形成部２０、及び、画像形成部２０で形成されたトナー画像を記録媒体４に転写する転写部３０等から構成され、制御部６０の制御に基づいて、画像データを記録媒体４に印刷する。また、ＬＡＮ回線６４は、制御部６０の制御に基づいて、複合機１と図示せぬ外部装置間で通信を行う回線である。また、ＵＳＢメモリ６５は、複合機１に対して取り外し可能な記憶媒体であり、制御部６０の制御に基づいて、画像データを格納する。
【００２３】
次に、本実施形態の複合機１の動作について説明する。図３及び図４に複合機１の動作に係るフローチャートを分割して示す。
【００２４】
複合機１のユーザが、装置の電源を起動等して動作を開始することにより、複合機１の動作に係るシーケンスを開始する。手順１に進むと、制御部６０の制御に基づき、操作表示部６２に、「設定情報シートを読み取ってください」と表示される。なお、図５に設定情報シートの例を示す。また、この様な設定情報シートは、ユーザが自由に作成することはできず、複合機１の管理者のみが作成することができる。設定情報シートには、所属、氏名、会社名等が印刷されており、且つ、設定情報シートに印刷された文字及びロゴ等には地紋である電子透かし情報が埋め込まれている。当該電子透かしは、例えば、特定の文字のエッジ部分に係るパターン形状を一定の条件に基づいて特定のパターンに変更させておくことにより、当該パターン形状に基づいて、設定情報シートが正規のものであるか、又は、偽造されたものであるかを判別するものである。また、特定の文字近傍に係る背景部分のパターン形状を一定の条件に基づいて特定のパターンに変更させても良い。このような電子透かしは微細なパターンから形成され、且つ、電子透かしが挿入された箇所は公開されないため、人が目視により電子透かしを識別することは非常に困難である。また、設定情報シートに挿入された電子透かしが解読されないように、複合機１に設けられた原稿読取部６１に特殊なフィルタを配設した上で、当該フィルタにより可視光領域以外の光を用いて電子透かしを読み取ったり、又は、当該フィルタの表面形状との干渉作用により電子透かしを読み取る構造としても良い。
【００２５】
電子透かし情報の例を図６乃至図８に示す。図６は、図５の設定情報シートに記載され、且つ、電子透かし情報が付加された、会に係る埋め込み文字７７である、埋め込み文字７６Ａ及び７６Ｂを示した模式図である。また、図７は、図６に記載した埋め込み文字７６Ａ及び７６Ｂに係る電子透かし埋め込み部７８を示した模式図である。なお、図７(ａ)は電子透かし情報が付加されていない模式図、図７(ｂ)は電子透かし情報が付加されている模式図である。ここで、図７(ｂ)においては、文字の一部に係るエッジ部を欠落させている。なお、図７(ａ)及び図７(ｂ)の差異は、人が目視で判別することはできないが、複合機１の読取解像度によれば判別できる。なお、設定情報シートの一部が破損又は汚れても判別できるように、設定情報シート内の複数の文字に電子透かし情報を付加することが好ましい。また、図８は、図５の設定情報シートに記載された文字近傍における電子透かし情報に係る埋め込み空間７７Ａ、７７Ｂ、及び、７７Ｃを示した模式図である。なお、図８(ａ)は電子透かし情報が付加されていない模式図、図８(ｂ)は電子透かし情報が付加されている模式図である。ここで、図８(ｂ)においては、背景のドット印字の一部を欠落させている。なお、図８(ａ)及び図８(ｂ)の差異は、人が目視で判別することはできないが、複合機１の読取解像度によれば判別できる。なお、設定情報シートの一部が破損又は汚れても判別できるように、設定情報シート内の複数の文字の近傍に電子透かし情報を付加することが好ましい。また、電子透かし情報は、文字及びロゴに限定されず、背景及び写真等にも埋め込むことができる(Ｓ１)。
【００２６】
手順２に進むと、制御部６０の制御に基づき、操作表示部６２に画像読取指示があるか否かを判定し、画像読取指示がある場合(Ｙｅｓ)には手順３に進み、画像読取指示がない場合(Ｎｏ)には手順１に戻る(Ｓ２)。次に、手順３に進んだ場合、制御部６０の制御に基づき、原稿読取部６１が原稿の画像を読み取る(Ｓ３)。次に、手順４に進むと、原稿から読み取った画像が、制御部６０内の画像処理部６０Ａに送信された後、画像処理部６０Ａにおいて画像の補正処理が行われる。さらに、画像処理部６０Ａにおいて画像に電子透かしに係るデータがあるか否かを判定し、電子透かしに係るデータがある場合(Ｙｅｓ)には手順５に進み、電子透かしに係るデータがない場合(Ｎｏ)には手順６に進む(Ｓ４)。次に、手順５に進んだ場合、制御部６０の制御に基づき、設定情報抽出部６０Ｂにて、電子透かし情報内に装置設定情報に係るデータがあるか否かを判定し、装置設定情報に係るデータがある場合(Ｙｅｓ)には手順７に進み、装置設定情報に係るデータがない場合(Ｎｏ)には手順６に進む(Ｓ５)。次に、手順４又は手順５から手順６に進んだ場合、制御部６０の制御に基づき、操作表示部６２に、「設定情報シートではありません」及び「設定情報シートをセットしてください」と表示される。なお、当該表示を行った後に手順１に戻る(Ｓ６)。
【００２７】
手順７に進んだ場合、制御部６０の制御に基づき、利用権限設定部６０Ｃは設定情報抽出部６０Ｂにて抽出した装置設定情報内にある利用可能な機能の一覧の中からユーザが利用可能な機能を設定し、操作表示部６２に操作ボタンとともに利用可能な機能が表示される。なお、図９に装置利用権限設定の例を示す。この装置利用権限の設定例においては、設定情報シートにて、コピーは許可され、スキャンｔｏメールは許可されず、及びスキャンｔｏＵＳＢも許可されない。また、図１０にユーザが利用可能な利用権限表示の例である表示画面７０を示す。なお、図９に示すようにユーザに許可された機能はコピーのみである。従って、図１０に示すコピーボタン７１のみが有効となり、スキャンｔｏメールボタン７２又はスキャンｔｏＵＳＢボタン７３が押下されても実行されない(Ｓ７)。次に、手順８に進むと、制御部６０の制御に基づき、操作表示部６２は操作指示があるか否かを判定し、操作指示がある場合(Ｙｅｓ)には図４に示す手順１０に進み、操作指示がない場合(Ｎｏ)には手順９に進む(Ｓ８)。次に、手順９に進んだ場合、予め任意に設定したタイムアウト時間が経過したか否かをモニターし、タイムアウト時間が経過した場合(Ｙｅｓ)には手順１に戻り、タイムアウト時間が経過していない場合(Ｎｏ)には手順８に戻る(Ｓ９)。
【００２８】
図３に示した手順８から図４に示した手順１０に進むと、制御部６０の制御に基づき、操作表示部６２において操作指示された選択機能がコピーであるか否かを判定し、選択機能がコピーである場合(Ｙｅｓ)には手順１１に進み、選択機能がコピーでない場合(Ｎｏ)には手順１４に進む(Ｓ１０)。次に、手順１１に進むと、制御部６０の制御に基づき、利用権限設定部６０Ｃはコピーに関する機能の利用権限があるか否かを判定し、コピー機能の利用権限がある場合(Ｙｅｓ)には手順１２に進み、コピー機能の利用権限がない場合(Ｎｏ)には手順２２に進む(Ｓ１１)。次に、手順１２に進むと、制御部６０の制御に基づき、操作表示部６２に、「コピーを開始します。原稿をセットし、準備が完了したら実行ボタンを押してください。」と表示されることにより、原稿の交換が促される。なお、図１１に原稿交換表示の例である表示画面７４を示す。この様な表示画面７４には、上述した原稿交換を促す表示の下方に、コピー実行ボタン７５が設けられている。ここで、複合機１のユーザは、コピー実行ボタン７５を押下する(Ｓ１２)。次に、手順１３に進むと、制御部６０の制御に基づき、原稿読取部６１にて原稿の画像を読み取り、画像処理部６０Ａから印刷部６３に印刷データを送信して、印刷部６３が印刷動作を実行する(Ｓ１３)。その後、複合機１の動作に係るシーケンスを終了する。
【００２９】
手順１０から手順１４に進むと、制御部６０の制御に基づき操作表示部６２において操作指示された選択機能がスキャンｔｏメールであるか否かを判定し、選択機能がスキャンｔｏメールである場合(Ｙｅｓ)には手順１５に進み、選択機能がスキャンｔｏメールでない場合(Ｎｏ)には手順１８に進む(Ｓ１４)。次に、手順１５に進むと、制御部６０の制御に基づき、利用権限設定部６０Ｃはスキャンｔｏメールに関する機能の利用権限があるか否かを判定し、スキャンｔｏメールに関する機能の利用権限がある場合(Ｙｅｓ)には手順１６に進み、スキャンｔｏメールに関する機能の利用権限がない場合(Ｎｏ)には手順２２に進む(Ｓ１５)。次に、手順１６に進むと、制御部６０の制御に基づき、操作表示部６２に、「スキャンｔｏメールを開始します。原稿をセットし、準備が完了したら実行ボタンを押してください。」と図示せぬ表示画面で表示されることにより、原稿の交換が促される。ここで、複合機１のユーザは、表示画面内のスキャンｔｏメール実行ボタンを押下する(Ｓ１６)。次に、手順１７に進むと、制御部６０の制御に基づき、原稿読取部６１にて原稿の画像を読み取り、画像処理部６０Ａから通信処理部６０Ｄにデータを送信して、通信処理部６０ＤはＬＡＮ回線６４を経て図示せぬ外部装置に画像データを送信する(Ｓ１７)。その後、複合機１の動作に係るシーケンスを終了する。
【００３０】
手順１４から手順１８に進むと、制御部６０の制御に基づき、操作表示部６２において操作指示された選択機能がスキャンｔｏＵＳＢであるか否かを判定し、選択機能がスキャンｔｏＵＳＢである場合(Ｙｅｓ)には手順１９に進み、選択機能がスキャンｔｏＵＳＢでない場合(Ｎｏ)には手順２２に進む(Ｓ１８)。次に、手順１９に進むと、制御部６０の制御に基づき、利用権限設定部６０ＣはスキャンｔｏＵＳＢに関する機能の利用権限があるか否かを判定し、スキャンｔｏＵＳＢに関する機能の利用権限がある場合(Ｙｅｓ)には手順２０に進み、スキャンｔｏＵＳＢに関する機能の利用権限がない場合(Ｎｏ)には手順２２に進む(Ｓ１９)。次に、手順２０に進むと、制御部６０の制御に基づき、操作表示部６２に、「スキャンｔｏＵＳＢを開始します。原稿をセットし、準備が完了したら実行ボタンを押してください。」と図示せぬ表示画面で表示されることにより、原稿の交換が促される。ここで、複合機１のユーザは、表示画面内のスキャンｔｏＵＳＢ実行ボタンを押下する(Ｓ２０)。次に、手順２１に進むと、制御部６０の制御に基づき、原稿読取部６１にて原稿の画像を読み取り、画像処理部６０Ａから通信処理部６０Ｄにデータを送信して、通信処理部６０ＤはＵＳＢメモリ６５にデータを格納する(Ｓ２１)。その後、複合機１の動作に係るシーケンスを終了する。なお、手順１１、手順１５、手順１８、又は手順１９から手順２２に進んだ場合、制御部６０の制御に基づき、操作表示部６２に、「利用権限がありません」と表示される(Ｓ２２)。
【００３１】
以上、第１の実施形態に係る複合機１によれば、設定情報シートに基づいて画像処理に係る機能の許可又は不許可を設定できることから、様々なＩＤに対応した画像処理の許可又は不許可に係る情報を格納するための大容量からなる格納部を備える必要がない。また、管理者等によるＩＤに対応した画像処理の許可又は不許可の係る設定を必要としない。すなわち、複合機１内に設けられた原稿読取部６１において原稿から読み取った画像データに基づき、その後の利用権限を制限する手段を複合機１に設けることにより、ユーザ認証に係る機器又は利用権限に係るデータの格納部等を複合機１に追加することなく、電子透かしが無い原稿に対して一定の利用制限を設けることができる。
【００３２】
［第２の実施形態］
次に、本発明の第２の実施形態に係る複合機２について説明する。なお、複合機２は画像処理装置である。また、第２の実施形態においては、複合機２に係る動作においてパスワードを用いることによりセキュリティ機能を強化したことに特徴を有し、それ以外の複合機２に係る構成は、第１の実施形態で述べた複合機１の構成と同様である。そこで、本実施形態においては、第１の実施形態と異なる構成を中心にして具体的に説明する。
【００３３】
次に、複合機２の制御について説明する。図１２に複合機２の構成を示すブロック図を示す。以下、図１２を参照しながら具体的に説明する。
【００３４】
複合機２は、画像処理部８０Ａ、設定情報抽出部８０Ｂ、ユーザ情報設定部８０Ｃ、利用権限設定部６０Ｃ、及び通信処理部６０Ｄから構成される制御部８０を設けており、この制御部８０から複合機２に指令を出すことにより画像情報に係るセキュリティを担保しながら記録媒体４に印刷する一連のプロセスを制御する。また、制御部８０は、原稿読取部６１、操作表示部８２、印刷部６３、ＬＡＮ回線６４、及びＵＳＢメモリ６５と相互に接続している。この様な複合機２は、パスワード認証を行い、原稿を読み取った後に、当該読取画像データを、印刷、ＬＡＮ経由で外部に送信、又はメモリに保存することができる。以下、第２の実施形態に特有である制御部８０を構成する各構成部材について具体的に説明する。
【００３５】
制御部８０は、画像処理部８０Ａ、設定情報抽出部８０Ｂ、ユーザ情報設定部８０Ｃ、利用権限設定部６０Ｃ、及び通信処理部６０Ｄから構成される。画像処理部８０Ａは、第１の実施形態と同様に、原稿読取部６１から読み取った画像データを受信し、画像データに係るレベル補正及びガンマ補正等の補正処理を行う。この様な画像処理部８０Ａは、画像データ内の電子透かしデータ有無の判定を行い、電子透かしデータが存在した場合には電子透かしデータを読み取る。さらに、画像処理部８０Ａは、第２の実施形態に特有の機能として、電子透かしデータ以外のユーザ設定情報を読み取る。また、設定情報抽出部８０Ｂは、画像処理部８０Ａで読み取られた電子透かしデータ及びユーザ設定情報を抽出する。また、ユーザ情報設定部８０Ｃは、設定情報抽出部８０Ｂにて抽出された設定情報に含まれたユーザ設定情報に基づいて複合機２の各種設定を行う。また、制御部８０と相互に接続した操作表示部８２は、複合機２又は複合機２の近傍等に設けられ、制御部８０の制御に基づいて、複合機２のユーザに対して印刷条件及び操作可能条件等を表示し、且つ、ユーザから印刷条件及び操作可能条件等に係る指示を受け付ける。さらに、操作表示部８２は、第２の実施形態に特有の機能として、複合機２のユーザがパスワードを入力するパスワード入力部でもある。
【００３６】
次に、本実施形態の複合機２の動作について説明する。図１３乃至１５に複合機２の動作に係るフローチャートを分割して示す。
【００３７】
複合機２のユーザが、装置の電源を起動等して動作を開始することにより、複合機２の動作に係るシーケンスを開始する。手順３０に進むと、制御部８０の制御に基づき、操作表示部８２に、「パスワードを入力してください」と表示される(Ｓ３０)。次に、手順３１に進むと、制御部８０の制御に基づき、操作表示部８２にパスワードが入力されたか否かを判定し、パスワードが入力された場合(Ｙｅｓ)には手順３２に進み、パスワードが入力されていない場合(Ｎｏ)には手順３０に戻る(Ｓ３１)。次に、手順３２に進むと、制御部８０が入力されたパスワードが正しいか否かを判定し、パスワードが正しい場合(Ｙｅｓ)には手順３３に進み、パスワードが正しくない場合(Ｎｏ)には手順３０に戻る。なお、制御部８０はパスワードの真偽判定を行う判定部でもある(Ｓ３２)。
【００３８】
次に、手順３３に進むと、制御部８０の制御に基づき、操作表示部８２に、「設定情報シートを読み取ってください」と表示される。なお、図１６に設定情報シート１１０の例を示す。この設定情報シート１１０は、電子透かしが入った電子透かし挿入エリア１１１、及び、ユーザが自由に設定できるユーザ設定エリア１１２から構成される。また、設定情報シート１１０の電子透かし挿入エリア１１１は、ユーザ変更又は作成することはできず、複合機２の管理者のみが作成することができる。また、設定情報シート１１０のユーザ設定エリア１１２において、ユーザが鉛筆等を用いてマークシートを塗りつぶすことにより、印刷条件等を変更することができる。具体的には、図１６に示した例においては、マークシートの白丸部分を塗りつぶすことにより、読取解像度１１３は３００ｄｐｉを、カラー１１４はＢ＆Ｗを、背景除去１１５は中レベルを、出力形式１１６はｐｄｆ形式を、メールアドレス１１７は任意の宛先を、設定している(Ｓ３３)。
【００３９】
次に、手順３４に進むと、制御部８０の制御に基づき、操作表示部８２に画像読取指示があるか否かを判定し、画像読取指示がある場合(Ｙｅｓ)には手順３５に進み、画像読取指示がない場合(Ｎｏ)には手順３３に戻る(Ｓ３４)。次に、手順３５に進んだ場合、制御部８０の制御に基づき、原稿読取部６１が原稿の画像を読み取る(Ｓ３５)。次に、手順３６に進むと、読み取った画像は、制御部８０内の画像処理部８０Ａに送信された後、画像処理部６０Ａにおいて画像の補正処理が行われる。さらに、画像処理部８０Ａにおいて画像に電子透かしに係るデータがあるか否かを判定し、電子透かしに係るデータがある場合(Ｙｅｓ)には手順３７に進み、電子透かしに係るデータがない場合(Ｎｏ)には手順３８に進む(Ｓ３６)。次に、手順３７に進んだ場合、制御部８０の制御に基づき、設定情報抽出部８０Ｂにて、電子透かし情報内に装置設定情報に係るデータがあるか否かを判定し、装置設定情報に係るデータがある場合(Ｙｅｓ)には図１４に示した手順３９に進み、装置設定情報に係るデータがない場合(Ｎｏ)には手順３８に進む(Ｓ３７)。次に、手順３６又は手順３７から手順３８に進んだ場合、制御部８０の制御に基づき、操作表示部８２に、「設定情報シートではありません」及び「設定情報シートをセットしてください」と表示される。当該表示を行った後に手順３３に戻る(Ｓ３８)。
【００４０】
図１３に示した手順３７から図１４に示した手順３９に進むと、制御部８０の制御に基づき、利用権限設定部６０Ｃは、設定情報抽出部８０Ｂにて抽出した装置設定情報内にある利用可能な機能の一覧から、ユーザが利用可能な機能を設定する(Ｓ３９)。次に、手順４０に進むと、制御部８０の制御に基づき、ユーザ情報設定部８０Ｃは、手順３７にて解析されたユーザ設定情報により複合機２内の各種設定を行う(Ｓ４０)。次に、手順４１に進むと、制御部８０の制御に基づき、利用権限設定部６０Ｃは、設定情報抽出部８０Ｂにて抽出した装置設定情報内にある利用可能な機能の一覧の中からユーザが利用可能な機能を設定し、操作表示部８２に操作ボタンとともに利用可能な機能が表示される。なお、第１の実施形態と同様に、図９に装置利用権限設定の例を示す。この装置利用権限の設定例においては、設定情報シートにて、コピーは許可され、スキャｔｏメールは許可されず、及びスキャンｔｏＵＳＢも許可されない。また、図１７にユーザが利用可能な利用権限表示の例である表示画面９０を示す。なお、図９に示すようにユーザが許可された機能はコピーのみである。従って、図１７に示すコピーボタン９１のみが有効となり、スキャンｔｏメールボタン９２、又は、スキャンｔｏＵＳＢボタン９３が押下されても実行されない。なお、第２の実施形態においては、ユーザ情報表示要求ボタンである、後述するお客様のお好み設定確認表示ボタン９４が設けられている。(Ｓ４１)。
【００４１】
次に、手順４２に進むと、制御部８０の制御に基づき、操作表示部８２に表示された表示画面９０内のお客様のお好み設定確認表示ボタン９４が押下されたか否かを判定し、お客様のお好み設定確認表示ボタン９４が押下された場合(Ｙｅｓ)には手順４３に進み、お客様のお好み設定確認表示ボタン９４が押下されていない場合(Ｎｏ)には手順４７に進む(Ｓ４２)。次に、手順４３に進んだ場合、制御部８０の制御に基づき、操作表示部８２に、ユーザ情報表示及び設定変更ボタンが表示される。なお、図１８にユーザ情報設定の表示例を表示画面１００で示す。表示画面１００には、読み取られた解像度やカラー等の情報が表示され、且つ、設定変更ボタン１０１、及び、戻るボタン１０２が設けられている(Ｓ４３)。次に、手順４４に進むと、制御部８０の制御に基づき、表示画面１００内の設定変更ボタン１０１が押下されたか否かを判定し、設定変更ボタン１０１が押下された場合(Ｙｅｓ)には手順４６に進み、設定変更ボタン１０１が押下されていない場合(Ｎｏ)には手順４５に進む(Ｓ４４)。
【００４２】
手順４５に進んだ場合、制御部８０の制御に基づき、表示画面１００内の戻るボタン１０２が押下されたか否かを判定し、戻るボタン１０２が押下された場合(Ｙｅｓ)には手順４１に戻り、戻るボタン１０２が押下されていない場合(Ｎｏ)には手順４３に戻る(Ｓ４５)。次に、手順４６に進んだ場合、ユーザ情報の設定変更を行った後に、手順４３に戻る(Ｓ４６)。次に、手順４７に進んだ場合、制御部８０の制御に基づき、操作表示部８２は操作指示があるか否かを判定し、操作指示がある場合(Ｙｅｓ)には図１５に示す手順４９に進み、操作指示がない場合(Ｎｏ)には手順４８に進む(Ｓ４７)。次に、手順４８に進んだ場合、予め任意に設定したタイムアウト時間が経過したか否かをモニターし、タイムアウト時間が経過した場合(Ｙｅｓ)には図１３に示す手順３３に戻り、タイムアウト時間が経過していない場合(Ｎｏ)には手順３７に戻る(Ｓ４８)。なお、第２の実施形態の複合機２の動作に係る図１５に示した手順４９乃至手順６１は、図４を参照しながら前述した第１の実施形態における複合機１の動作に係る手順１０乃至手順２２と、それぞれ同様である。
【００４３】
以上、第２の実施形態に係る複合機２によれば、ユーザの裁量で選択できる機能については、管理者による設定によらずに各ユーザで任意に設定ができる。また、ユーザが通常使用する機能の設定内容についは、設定情報シート１１０に記載済みの設定内容を繰り返して使用できることから、使用時の度に設定をする必要が無い。さらに、複合機２において読取等を開始するためにはパスワードが必要であることから、設定情報シート１１０が盗まれたり紛失した場合においても、他人による使用を防止することができる。また、ユーザ情報設定手段を設けたことにより、各ユーザの独自の使用環境を設定することが容易であることから、各ユーザに対応した使用環境に係る設定手段を複合機２本体に備える必要がない。従って、ユーザが任意の複合機に対して、特別な使用環境を設定することなく、ユーザ独自の使用環境を複合機間で共用することができる。
【００４４】
なお、上述した第１の実施形態及び第２の実施形態においては、複合機をスキャナの様な画像処理装置として説明したが、本実施形態の画像処理装置を、電子写真式のカラープリンタ、インクジェットプリンタ、ドットマトリクスプリンタ、複写機、モノクロプリンタ、ファクシミリ装置などに設けても良い。また、上述した第１の実施形態及び第２の実施形態の画像処理装置は、スキャナ本体のみに適用しても良い。また、本発明は、スキャナに換えて、デジタルカメラ、又はカメラ付き携帯電話での読取に適用することも可能である。具体的には、デジタルカメラ、又はカメラ付き携帯電話を用いて設定情報シートを読み取らないと、使用可能な機能について制限を設けたり、全ての機能を使用禁止にする構成としても良い。また、本発明の複合機における画像形成部２０は、ブラック色、イエロー色、マゼンタ色、及びシアン色の４色に対応する画像情報を現像する４つの画像形成部２０Ｋ、２０Ｙ、２０Ｍ、及び２０Ｃを備えるが、ブラック色を除いた３色に対応する３つの画像形成部２０Ｙ、２０Ｍ、及び２０Ｃを備えても良い。同様に、それぞれブラック色に対応する画像情報を現像する２つの画像形成部２０Ｋを備えても良い。このように、画像形成部２０の個数、画像形成部２０の色の組み合わせ、配設位置等は限定されるものではなく、本発明の要旨を逸脱しない範囲において適宜変更可能である。
【図面の簡単な説明】
【００４５】
【図１】本発明の第１の実施形態の複合機を示す構成図である。
【図２】本発明の第１の実施形態の複合機の制御を示すブロック図である。
【図３】本発明の第１の実施形態の複合機の動作の流れを示すフローチャートである。
【図４】本発明の第１の実施形態の複合機の動作の流れを示すフローチャートである。
【図５】本発明の第１の実施形態に係る設定情報シートを示す模式図である。
【図６】本発明の第１の実施形態に係る設定情報シートに記載された電子透かしが付加された文字を示す模式図である。
【図７】本発明の第１の実施形態に係る設定情報シートに記載された電子透かしが付加された文字の電子透かし埋め込み部を示す模式図である。
【図８】本発明の第１の実施形態に係る設定情報シートに記載された電子透かしが付加された文字近傍の電子透かしに関する埋め込み空間を示す模式図である。
【図９】本発明の第１の実施形態に係る装置利用権限設定を示す模式図である。
【図１０】本発明の第１の実施形態に係る利用権限表示を示す模式図である。
【図１１】本発明の第１の実施形態に係る原稿交換表示を示す模式図である。
【図１２】本発明の第２の実施形態の複合機の制御を示すブロック図である。
【図１３】本発明の第２の実施形態の複合機の動作の流れを示すフローチャートである。
【図１４】本発明の第２の実施形態の複合機の動作の流れを示すフローチャートである。
【図１５】本発明の第２の実施形態の複合機の動作の流れを示すフローチャートである。
【図１６】本発明の第２の実施形態に係る設定情報シートを示す模式図である。
【図１７】本発明の第２の実施形態に係る利用権限表示を示す模式図である。
【図１８】本発明の第２の実施形態に係るユーザ情報設定表示を示す模式図である。
【符号の説明】
【００４６】
１，２  複合機
３  用紙搬送経路
４  記録媒体
５  原稿読取部
５Ａ  読取器
５Ｂ  原稿台
５Ｃ  フタ
５Ｄ  ケーブル
１０  給紙部
１１  給紙トレイ
１２  給紙ローラ
１３  プレッシャローラ
１４  レジストローラ
２０，２０Ｋ，２０Ｙ，２０Ｍ，２０Ｃ  画像形成部
２１  感光体ドラム
２２  帯電ローラ
２３  ＬＥＤヘッド
２４  トナー
２５  トナーカートリッジ
２６  トナー供給ローラ
２７  現像ローラ
２８  現像ブレード
２９  クリーニングブレード
３０  転写部
３１  転写ベルト
３２  ドライブローラ
３３  アイドルローラ
３４  転写ローラ
４０  定着部
４１  定着ローラ
４２  加圧ローラ
５０  排出部
５１  排出ローラ
５２  排出コロ
５３  スタッカ
６０  制御部
６０Ａ  画像処理部
６０Ｂ  設定情報抽出部
６０Ｃ  利用権限設定部
６０Ｄ  通信処理部
６１  原稿読取部
６２  操作表示部
６３  印刷部
６４  ＬＡＮ回線
６５  ＵＳＢメモリ
７０  表示画面
７１  コピーボタン
７２  スキャンｔｏメールボタン
７３  スキャンｔｏＵＳＢボタン
７４  表示画面
７５  コピー実行ボタン
７６，７６Ａ，７６Ｂ  埋め込み文字
７７，７７Ａ，７７Ｂ，７７Ｃ  埋め込み空間
７８  電子透かし埋め込み部
８０  制御部
８０Ａ  画像処理部
８０Ｂ  設定情報抽出部
８０Ｃ  ユーザ情報設定部
８２  操作表示部
９０  表示画面
９１  コピーボタン
９２  スキャンｔｏメールボタン
９３  スキャンｔｏＵＳＢボタン
９４  お客様のお好み設定確認表示ボタン
１００  表示画面
１０１  設定変更ボタン
１０２  戻るボタン
１１０  設定情報シート
１１１  電子透かし挿入エリア
１１２  ユーザ設定エリア
１１３  読取解像度
１１４  カラー
１１５  背景除去
１１６  出力形式
１１７  メールアドレス
【図１】
2010056657.tif 000003
【図２】
2010056657.tif 000004
【図３】
2010056657.tif 000005
【図４】
2010056657.tif 000006
【図５】
2010056657.tif 000007
【図６】
2010056657.tif 000008
【図７】
2010056657.tif 000009
【図８】
2010056657.tif 000010
【図９】
2010056657.tif 000011
【図１０】
2010056657.tif 000012
【図１１】
2010056657.tif 000013
【図１２】
2010056657.tif 000014
【図１３】
2010056657.tif 000015
【図１４】
2010056657.tif 000016
【図１５】
2010056657.tif 000017
【図１６】
2010056657.tif 000018
【図１７】
2010056657.tif 000019
【図１８】
2010056657.tif 000020